(57)【要約】      （修正有）【課題】ヘアクリップとヘアバンドの機能を兼用する整髪器具を提供する。【解決手段】枢接座１と、枢接座１の上に回動可能に接続され、複数の櫛歯２６，３６がそれぞれ設けられている第１の挟み体２及び第２の挟み体３とを含む。第１の挟み体２及び第２の挟み体３が開状態でかつ固定された場合にはヘアバンドに形成され、第１の挟み体２及び第２の挟み体３が閉状態である場合にはヘアクリップに形成される。【選択図】図１
0003162098.tif 000002
【実用新案登録請求の範囲】
【請求項１】
上座体と下座体とを含み、前記下座体が、中間及び頂部に位置する突リブと、前記突リブの両側にある第１及び第２の収容空間とを有し、前記上座体には間隔をおいた枢接柱が２つ設けられ、前記下座体の第１及び第２の収容空間の上には前記上座体の２つの枢接柱が挿入係合するための枢接孔がそれぞれ設けられている枢接座と、
第１の端と第２の端とを有し、前記第１の端には貫通孔を有する枢接部が設けられ、前記枢接部が前記下座体の第１の収容空間内に位置し、前記上座体の２つの枢接柱のうちの一方が前記貫通孔を通すことで前記枢接座に対して回動可能となり、さらに複数の櫛歯が設けられている第１の挟み体と、
第１の端と第２の端とを有し、前記第１の端には貫通孔を有する枢接部が設けられ、前記枢接部が前記下座体の第２の収容空間内に位置し、前記上座体の２つの枢接柱のうちの他方が前記貫通孔を通すことで前記枢接座に対して回動可能となり、さらに複数の櫛歯が設けられている第２の挟み体と、を備え、
前記第１及び第２の挟み体が前記枢接座に対して開状態である場合にはヘアバンドに形成され、前記第１及び第２の挟み体が前記枢接座に対して閉状態である場合にはヘアクリップに形成されることを特徴とするヘアクリップとヘアバンドの機能を兼用する整髪器具。
【請求項２】
前記下座体の突リブが前記第１及び第２の収容空間に対向した端面には、突出した係止ブロックがそれぞれ設けられ、前記第１及び第２の挟み体の枢接部には前記下座体の係止ブロックと係合固定するための凹溝がそれぞれ設けられていることを特徴とする請求項１に記載のヘアクリップとヘアバンドの機能を兼用する整髪器具。
【請求項３】
前記第１及び第２の挟み体の第２の端のそれぞれは、外部へ挟み端が延在し、前記第１及び第２の挟み体が閉状態である場合に、前記第１及び第２の挟み体の挟み端が互いに係合され、前記第１及び第２の挟み体の第１の端にはさらに前記枢接座を止めるための止め部がそれぞれ設けられていることを特徴とする請求項１に記載のヘアクリップとヘアバンドの機能を兼用する整髪器具。 
【考案の詳細な説明】
【技術分野】
【０００１】
本考案は、整髪器具に関し、特に使用者の必要に応じてヘアクリップ又はヘアバンドに形成することが可能な整髪器具に関するものである。
【背景技術】
【０００２】
従来より、女性は、髪型をセットするために、ヘアクリップ、ヘアバンド、ヘアベルト、ヘアスタイリング、及び整髪器具等のヘアアクセサリーを多く採用している。しかしながら、それらのヘアアクセサリーが単一の機能だけを有しているため、女性は、外出する時に様々なヘアアクセサリーを常に携行しなければならない。さらに、一般のヘアバンドの体積が大きく、しかも折り畳み収納不能であるため、携行は難しくなっている。
【０００３】
従って、従来のヘアアクセサリーの欠点を改善するためには、構造の異なるその他の整髪器具の提供が必要とされている。
【考案の概要】
【０００４】
そこで、本考案は、ヘアクリップ又はヘアバンドとして用いられるとともに、使用者の毛筋が流線形になるようにするための櫛歯を有する、ヘアクリップとヘアバンドの機能を兼用する整髪器具を提供することを目的とする。
【課題を解決するための手段】
【０００５】
上述した目的を達成するために、本考案に係わるヘアクリップとヘアバンドの機能を兼用する整髪器具は、枢接座と、第１の挟み体と、第２の挟み体とを含み、枢接座の上には第１の挟み体及び第２の挟み体の第１の端がそれぞれ枢接するための第１及び第２の収容空間を有し、第１の挟み体及び第２の挟み体がそれぞれほぼ円弧状を呈し、第１の挟み体及び第２の挟み体の第２の端よりそれぞれ外部へ挟み端が延在し、第１の挟み体及び第２の挟み体には間隔をおいた櫛歯がそれぞれ複数設けられ、第１の挟み体及び第２の挟み体が枢接座に対して開状態である場合にはヘアバンドに形成され、第１の挟み体及び第２の挟み体が枢接座に対して閉状態である場合にはヘアクリップに形成されるように構成されている。
【考案の効果】
【０００６】
本考案に係わるヘアクリップとヘアバンドの機能を兼用する整髪器具によれば、使用者の必要に応じて使用機能が異なるヘアバンド又はヘアクリップに変換することができる。さらに、使用しない場合は、整髪器具をヘアクリップタイプに変換することができるため、携行や収容に便利となる。
【図面の簡単な説明】
【０００７】
【図１】本考案に係わる整髪器具の立体図であり、整髪器具がヘアバンドであることを示す。
【図２】図１の立体分解図である。
【図３】図１の前面図である。
【図４】図１のヘアバンドがヘアクリップに変換された模式図を示す。
【図５】本考案に係わる整髪器具の立体図であり、整髪器具がヘアクリップであることを示す。
【図６】図１のヘアバンドが使用者の髪に用いられた模式図を示す。
【考案を実施するための形態】
【０００８】
本考案に係わる整髪器具１０を図１ないし図６に示す。整髪器具１０は、枢接座１と、第１の挟み体２と、第２の挟み体３とを含む。枢接座１は、上座体１１と下座体１２とを含み、下座体１２が中間及び頂部に位置する突リブ１２０と、突リブ１２０の両側にある第１及び第２の収容空間１３、１４とを有し、上座体１１には間隔をおいた枢接柱１１５、１１６が２つ設けられ、下座体１２の第１及び第２の収容空間１３、１４の上には上座体１１の枢接柱１１５、１１６と互いに係合するための枢接孔１２５、１２６がそれぞれ設けられ、下座体１２の突リブ１２０が第１及び第２の収容空間１３、１４に対向した端面には２つの突出した係止ブロック１２１、１２２、１２３、１２４がそれぞれ設けられている。
【０００９】
第１の挟み体２は、ほぼ円弧状で且つ第１の端２１及び第２の端２２を有し、第１の端２１には貫通孔２３１を有する枢接部２３が設けられ、枢接部２３の外周には凹溝２３２が３つ設けられ、第１の端２１にはさらに枢接部２３の側辺に設けられた止め部２４が設けられ、第２の端２２には外部へ延在する挟み端２５が設けられ、第１の挟み体２の内表面には間隔をおいて配列された櫛歯２６が複数設けられている。
【００１０】
第２の挟み体３は、ほぼ円弧状で且つ第１の端３１及び第２の端３２を有し、第１の端３１には貫通孔３３１を有する枢接部３３が設けられ、枢接部３３の外周には凹溝３３２が３つ設けられ、第１の端３１にはさらに枢接部３３の側辺に設けられた止め部３４が設けられ、第２の端３２には外部へ曲がり延在する挟み端３５が設けられ、第１の挟み体３の内表面には間隔をおいて配列された櫛歯３６が複数設けられている。
【００１１】
第１の挟み体２及び第２の挟み体３の枢接部２３、３３は、下座体１２の第１及び第２の収容空間１３、１４内にそれぞれ設けられている。上座体１１の枢接柱１１５、１１６は、第１の挟み体２及び第２の挟み体３の貫通孔２３１、３３１をそれぞれ通し、下座体１２の枢接孔１２５、１２６内に挿入結合する。第１の挟み体２及び第２の挟み体３のそれぞれは、上、下座体１１、１２の第１及び第２の収容空間１３、１４内において枢接柱１１５、１１６を回動中心として回動し、第１及び第２の挟み体２、３の止め部２４、３４は、第１及び第２の挟み体２、３が枢接座１の内側のみへ回動可能にするように枢接座１を止める。下座体１２の第１の収容空間１３内における係止ブロック１２１、１２２には第１の挟み体２の枢接部２３の凹溝２３２が係合固定され、下座体１２の第１の収容空間１４内における係止ブロック１２３、１２４には第２の挟み体３の枢接部３３の凹溝３３２が係合固定される。
【００１２】
第１及び第２の挟み体２、３が開状態である場合、整髪器具１０はヘアバンドに形成される（図１参照）。ここで、第１及び第２の挟み体２、３のそれぞれは、枢接座１を止め部２４、３４で止めさせ、枢接部２３、３３のいずれか２つの凹溝２３１、３３１を、下座体１２の係止ブロック１２１、１２２、１２３、１２４に係合させることにより位置付けられる。使用者がヘアバンドを頭上に装着させた場合には、櫛歯２６、３６を下層の毛筋に貼り付けることで挟み固定させることができるとともに、櫛歯２６、３６によって、毛筋が流線形となっている（図６参照）。
【００１３】
第１及び第２の挟み体２、３が閉状態である場合、整髪器具１０はヘアクリップに形成される（図５参照）。図４に示すように、図１のヘアバンドを図５のヘアクリップに変換させるには、第１及び第２の挟み体２、３を枢接座１に対して回動させる（図４の矢印参照）ことで第１及び第２の挟み体２、３を閉状態にさせ、第１及び第２の挟み体２、３の挟み端２５、３５を互いに交錯係合させると同時に、第１及び第２の挟み体２、３の凹溝２３２、３３２を下座体１２の係止ブロック１２１、１２２、１２３、１２４に係合させることで位置決める。使用者は、毛筋をヘアクリップの第１及び第２の挟み体２、３の間に介在させることで（図示せず）挟持することができ、毛筋は、櫛歯２６、３６によって挟持されることで流線形となっている。
【００１４】
以上のように、本考案では、上座体と下座体とを含み、前記下座体が、中間及び頂部に位置する突リブと、前記突リブの両側にある第１及び第２の収容空間とを有し、前記上座体には間隔をおいた枢接柱が２つ設けられ、前記下座体の第１及び第２の収容空間の上には前記上座体の２つの枢接柱が挿入係合するための枢接孔がそれぞれ設けられている枢接座と、第１の端と第２の端とを有し、前記第１の端には貫通孔を有する枢接部が設けられ、前記枢接部が前記下座体の第１の収容空間内に位置し、前記上座体の２つの枢接柱のうちの一方が前記貫通孔を通すことで前記枢接座に対して回動可能となり、さらに複数の櫛歯が設けられている第１の挟み体と、第１の端と第２の端とを有し、前記第１の端には貫通孔を有する枢接部が設けられ、前記枢接部が前記下座体の第２の収容空間内に位置し、前記上座体の２つの枢接柱のうちの他方が前記貫通孔を通すことで前記枢接座に対して回動可能となり、さらに複数の櫛歯が設けられている第２の挟み体と、を備え、前記第１及び第２の挟み体が前記枢接座に対して開状態である場合にはヘアバンドに形成され、前記第１及び第２の挟み体が前記枢接座に対して閉状態である場合にはヘアクリップに形成されることを特徴とするヘアクリップとヘアバンドの機能を兼用する整髪器具とするものである。
【００１５】
また、前記下座体の突リブが前記第１及び第２の収容空間に対向した端面には、突出した係止ブロックがそれぞれ設けられ、前記第１及び第２の挟み体の枢接部には前記下座体の係止ブロックと係合固定するための凹溝がそれぞれ設けられているものとする。
【００１６】
また、前記第１及び第２の挟み体の第２の端のそれぞれは、外部へ挟み端が延在し、前記第１及び第２の挟み体が閉状態である場合に、前記第１及び第２の挟み体の挟み端が互いに係合され、前記第１及び第２の挟み体の第１の端にはさらに前記枢接座を止めるための止め部がそれぞれ設けられているものとする。
【産業上の利用可能性】
【００１７】
本考案に係わる整髪器具１０によれば、使用者の必要に応じて使用機能が異なるヘアバンド又はヘアクリップに変換することができる。さらに、使用しない場合は、整髪器具１０をヘアクリップタイプに変換することができるため、携行や収容に便利となる。
【符号の説明】
【００１８】
１    枢接座
１０    整髪器具
１１    上座体
１２    下座体
１１５、１１６    枢接柱
１２０    突リブ
１２１、１２２、１２３、１２４    係止ブロック
１３、１４    収容空間
１２５、１２６    枢接孔
２    第１の挟み体
２１    第１の端
２２    第２の端
２３    枢接部
２３１    貫通孔
２３２    凹溝
２４    止め部
２５    挟み端
２６    櫛歯
３    第２の挟み体
３１    第１の端
３２    第２の端
３３    枢接部
３３１    貫通孔
３３２    凹溝
３４    止め部
３５    挟み端
３６    櫛歯 
【図１】
0003162098.tif 000003
【図２】
0003162098.tif 000004
【図３】
0003162098.tif 000005
【図４】
0003162098.tif 000006
【図５】
0003162098.tif 000007
【図６】
0003162098.tif 000008